(57)【要約】【課題】  ２つの透明電極層に挟まれた発光層を有する表示装置の厚み及び消費電力を従来よりも低減すること。【解決手段】  表示装置は、第１の透明電極層２１，２２と、第２の透明電極層２４と、前記第１及び前記第２の透明電極層の間に設けられた発光層２３とを有する。本表示装置は、前記第１及び第２の透明電極層の少なくとも一方は、レイアウトパターンの異なる少なくとも第１及び第２の導電性手段２１，２２を有する。【選択図】  図２
2006260853.tif 000002
【特許請求の範囲】
【請求項１】
第１の光透過性電極層と、第２の光透過性電極層と、前記第１及び前記第２の光透過性電極層の間に設けられた発光層とを有する照明装置であって、
前記第１及び第２の光透過性電極層の少なくとも一方は、レイアウトパターンの異なる少なくとも第１及び第２の導電性手段を有する
ことを特徴とする照明装置。
【請求項２】
前記第１及び第２の導電性手段の電位を変更し、当該照明装置内で発光する領域を変更する切替手段を更に備える
ことを特徴とする請求項１または２記載の照明装置。
【請求項３】
当該照明装置が、両面発光型である
ことを特徴とする請求項１乃至３記載の照明装置。
【請求項４】
第１又は第２の導電性手段のいずれか一方に所定の電圧が印加される
ことを特徴とする請求項１乃至３記載の照明装置。
【請求項５】
前記発光層が、第１及び第２の導電性手段の形成範囲に渡って同一の発光層より成る
ことを特徴とする請求項１乃至４記載の照明装置。
【請求項６】
第１及び第２の導電性手段のレイアウトパターンは、櫛歯状の形状を有する
ことを特徴とする請求項１乃至５記載の照明装置。
【請求項７】
第１及び第２の導電性手段のレイアウトパターンは、筋状の複数の線要素をそれぞれ有し、ある領域内で、第１及び第２の導電性手段の線要素が交互に並ぶ
ことを特徴とする請求項１乃至６記載の照明装置。
【請求項８】
第１の電極層と、第２の電極層と、前記第１及び前記第２の電極層の間に設けられた発光層とを有する照明装置であって、
前記第１及び第２の電極層の少なくとも一方は、レイアウトパターンの異なる少なくとも第１及び第２の導電性手段を有し、
導電性手段の少なくとも１つに対向する位置関係で光反射層を設ける
ことを特徴とする照明装置。
【請求項９】
前記光反射層のレイアウトパターンが、少なくとも１つの導電性手段のレイアウトパターンと同じである
ことを特徴とする請求項８記載の照明装置。
【請求項１０】
前記導電性手段の少なくとも１つは、光反射性を有する導電材料から成る
ことを特徴とする請求項８または９記載の照明装置。
【発明の詳細な説明】
【技術分野】
【０００１】
本発明は、一般に照明装置の技術分野に関し、特に２枚の電極層に挟まれた発光層を有する照明装置に関連する。
【背景技術】
【０００２】
折畳み型の携帯電話のように、開閉部の両面に表示面を備えた機器が普及している。ユーザは、それを折り畳んでいるか否かによらず、表示面を通じて何らかの情報を見ることができる。このような機器の表示装置には、液晶表示装置（ＬＣＤ）が使用されることが多い。ＬＣＤは自発光でないため、表示情報の視認性を確保するため、内部光源であるバックライト或いはフロントライトが必要とされる。内部光源には、エレクトロルミネセンス（ＥＬ）材料層が使用される場合がある。開閉部の両面に表示面を設ける場合、直接的な構成法の１つは、両面の各々に別個のＬＣＤおよび内部光源を用意することである。この構成法では、ＬＣＤ及び内部光源から成る表示部が２組用意され、表裏両面にそれらが使用される。
【０００３】
しかしながら、そのような構成を採用すると、表示装置の厚みが増してしまう点で不利である。表裏の表示部の構造が互いに干渉しないように、距離を隔てる必要があるためである。特に、小型化及び薄型化が求められる携帯機器では、そのような厚みの増加は特に不利になる。この問題に対処するため、図１に示されるように、１つの内部光源を表裏面で共用することが考えられる。図示の例では、１つの発光層が表面及び背面電極層で狭持され、各電極層には絶縁層が設けられている。２つの表示面に対して、発光層が１層で済むので、その分だけ厚み及び重量等を軽減できる。
【特許文献１】特開２００１−３５６５２号公報
【発明の開示】
【発明が解決しようとする課題】
【０００４】
ところで、開閉部の表裏２面の表示領域のサイズは異なることが多い。即ち、一方が大面積の主表示面を有し、他方が小面積の副表示面を有することが多い。しかし、１つの発光層を表裏で共用すると、発光層は、表裏何れの側にも同量の光を照射することになる。即ち、主表示面及び副表示面の種別によらず、主表示面全域を照らすのに要する光を常に発光することになる。このため、小さな副表示面でしか情報を表示しない場合に、情報の表示に寄与しない光を発生させ、無駄にエネルギーを消費してしまう問題が生じる。携帯機器等の用途では消費電力が重要視されるので、そのような製品用途では特に不利になる。このような問題は、ＥＬ層を用いる表示装置だけでなく、例えば、導光板を用いたバックライト（光源：ＬＥＤ，ＣＣＦＬ）のような他の表示装置でも同様に生じうる。導光板側面に設けた光源から表示領域全域へ光を均一分布させ、大きな表示領域に導光する構成になっているからである。したがって、それよりも小さな表示領域を構成する場合は、表示領域外のバックライト部まで光が広がり、光の利用効率が悪くなる。
【０００５】
本発明は、上記の問題に鑑みてなされたものであり、その課題は、２つの透明電極層に挟まれた発光層を有する表示装置の厚み及び消費電力を従来よりも低減することである。
【課題を解決するための手段】
【０００６】
本発明では、第１の光透過性電極層と、第２の光透過性電極層と、前記第１及び前記第２の光透過性電極層の間に設けられた発光層とを有する照明装置が使用される。本照明装置は、前記第１及び第２の光透過性電極層の少なくとも一方は、レイアウトパターンの異なる少なくとも第１及び第２の導電性手段を有する。
【発明の効果】
【０００７】
本発明によれば、２つの光透過性電極層に挟まれた発光層を有する照明装置の厚み及び消費電力を従来よりも低減することができる。
【発明を実施するための最良の形態】
【０００８】
本発明の一態様によれば、前記第１及び前記第２の光透過性電極層の間に設けられた発光層とを有する照明装置において、前記第１及び第２の光透過性電極層の少なくとも一方は、レイアウトパターンの異なる第１及び第２の導電性手段を有する。第１，第２の導電性手段の双方又は一方に所定の電位を与えることで、発光層形成範囲の全部又は一部から選択的に光を生じさせることができる。その結果、発光層を無駄に光らせる不都合を回避できる。
【０００９】
本発明の一態様によれば、切替手段により、第１及び第２の導電性手段の電位が変更され、発光層内で発光する領域が変更されてもよい。このような切替手段を利用することで、照明装置の発光領域を適宜変更できる。
【００１０】
本発明の一態様によれば、発光層からの光を受光する液晶板が更に設けられてもよい。本発明の一態様によれば、照明装置は、両面発光型でもよい。表示領域の大きさに応じて発光層の発光領域を適宜変更することは、両面発光型の照明装置を備える機器において特に好都合である。本発明の一態様によれば、前記第１の導電性手段に所定の電圧を印加することで、一方の表示面に光が照射され、前記第２の導電性手段に所定の電圧を印加することで、他方の表示面に光が照射されてもよい。
【００１１】
本発明の一態様によれば、第１及び第２の導電性手段の一方には所定の電圧が選択的に印加されるが、他方には所定の電圧が常に印加されてもよい。これは、レイアウトパターンを簡易に作成する観点から好ましい。本発明の一態様によれば、第１又は第２の導電性手段のいずれか一方に所定の電圧が印加されてもよい。これは、発光層を平均的に使用する観点から有利である。
【００１２】
本発明の一態様によれば、発光層は、第１及び第２の導電性手段の形成範囲に渡って同一の発光層から構成されてもよい。これにより、従来と同等の製造工程数で発光領域の分割形成ができる。本発明の一態様によれば、発光層が、エレクトロルミネセンス層より成り、特に、有機エレクトロルミネセンス層より成る。これにより、低電圧駆動でカラー表示および白色発光で特に有利な照明装置が得られる。
【００１３】
本発明の一態様によれば、第１及び第２の導電性手段のレイアウトパターンは、櫛歯状の形状を有してもよい。第１及び第２の導電性手段のレイアウトパターンは、筋状の複数の線要素をそれぞれ有し、ある領域内で、第１及び第２の導電性手段の線要素が交互に並んでもよい。このような態様は、導電性手段を互いに重複させず、発光層全域を平均的に使用する観点から好ましい。
【００１４】
本発明の一態様によれば、導電性手段の少なくとも１つに対向する位置関係で光反射層が設けられてもよい。光反射層のレイアウトパターンは、少なくとも１つの導電性手段のレイアウトパターンと同じでもよい。光反射層は、金属から構成されてもよい。反射層を設けることで、発光層からの光を効率的に表示部に向けることができるので、この態様は、電力消費量を低減する観点から特に有利である。また、導電性手段の１つは、光反射性を有する導電材料であって、光反射層の機能を兼ねても良い。
【実施例１】
【００１５】
図２は、本発明の一実施例による表示装置の分解斜視図を示す。表示装置は、基板２０と、下位電極層２１，２２と、発光層２３と、上位電極層２４と、主表示部２６及び副表示部２８とを有する。以下の説明において、「上位」及び「下位」と言及される場合が間々あるが、それらは便宜的な名称に過ぎず、ユーザが使用する時の上下の位置関係等を限定するものではないことに留意を要する。
【００１６】
基板２０は、透明なガラス基板またはプラスチック基板より成る。
【００１７】
下位電極層２１，２２は、アノードとして機能する光透過性電極である。下位電極層は、第１の導電性部分２１と、第２の導電性部分２２とを有し、それらは所定のレイアウトパターンを有する。本実施例では、図３の概略平面図に示されるように、第１及び第２の導電性部分２１，２２双方で、長方形状の発光層２３の全域が覆われる。更に、その長方形の領域は、左右及び中央の３領域に分けられ、第１の導電性部分２１は左右の領域に及び、第２の導電性部分２２は中央の領域を占める。このようなレイアウトパターンを有する下位電極層は、例えば、基板２０にＩＴＯ膜を全面に成膜し、フォトリソグラフィ及びエッチングを行うことで、作成することができる。第１及び第２の導電性部分２１，２２には、図２には不図示の駆動回路に接続するための端子部も形成される。
【００１８】
発光層２３は、エレクトロルミネセンス材料層（ＥＬ層）より成る。ＥＬ層の材料及び層構成は用途に応じて適宜選択できる。白色発光を要する用途や、カラー表示を要する用途には、発光層は有機ＥＬ層であることが望ましい。発光層２３に有機エレクトロルミネセンス材料を用いる場合、適切ないかなる成膜方法で成膜されてもよいが、低分子材料であれば真空蒸着法が、高分子材料であれば印刷法が望ましい。発光層２３のパターニングには、メタルマスク等が使用されてもよい。
【００１９】
上位電極層２４は、カソードとして機能する光透過性電極である。上位電極層２４は、発光層２３の全域を占めるように設けられる。上位電極層２４も下位電極層２１，２２と同様に、ＩＴＯ膜のような透明電極から構成されるが、その成膜時に下地の発光層２３を劣化させないように、イオンプレーティング等のような低温成膜法で成膜されることが望ましい。パターニングは成膜時にメタルマスク等を適用して行うことができる。上位電極層２４にも、図２に不図示の駆動回路に接続するための端子部が形成される。上位電極層上面には、発光層２３を完全に覆うように透明な保護基板或いは保護層（図示省略）が設けられ、発光層２３が外気と遮断されるようにする。
【００２０】
主表示部２６は発光層２３に対して上位電極層２４側に、副表示部２８は発光層２３に対して下位電極層２２側に設けられる。主表示部２６及び副表示部２８は、自発光型でない表示部より成り、本実施例では液晶表示装置（ＬＣＤ）より成る。主表示部２６は上位電極層２４のサイズに対応する広い表示領域を有する。副表示部２８は第２導電性部分２２のサイズに対応する狭い表示領域を有する。主表示部２６及び副表示部２８は、例えば折り畳み型携帯電話機の開閉部の表裏に設けられ、その開閉状態によらず、何らかの情報がユーザに見えるようにする。
【００２１】
図４は、表示装置の断面図を示し、簡単のため、主及び副表示部２６，２８は描かれていない。表示装置は、駆動回路を有し、駆動回路は、ＤＣ電源と、第１スイッチ（ＳＷ１）と、第２スイッチ（ＳＷ２）とを含む。第１スイッチは、制御信号に従って、上位電極層２４と下位電極層の第１導電性部分２１とを電気的に接続する又は分離する。第２スイッチは、制御信号に従って、上位電極層２４と下位電極層の第２導電性部分２２とを電気的に接続する又は分離する。上位及び下位電極層により発光層２４に適切な電圧が印加されると、発光層から光が発せられ、不図示の表示部（ＬＣＤ）が照らされる。
【００２２】
図５は、図２乃至４に示される表示装置の発光動作を説明するための図である。図６は、表示装置の等価回路を示す。等価回路では、下位電極層の第１導電性部分２１、発光層２３及び上位電極層２４が、ダイオードとそれに並列に接続されたコンデンサで表現され、それらは破線で囲まれた第１部分６１に対応する。また、下位電極層の第２導電性部分２２、発光層２３及び上位電極層２４も、ダイオードとそれに並列に接続されたコンデンサで表現され、それらは破線で囲まれた第２部分６２に対応する。図５（Ａ）に示されるように、全面発光の動作モードでは、第１スイッチＳＷ１及び第２スイッチＳＷ２が閉じて、第１部分６１及び第２部分６２の双方に所定の電圧が印加される（ように制御信号が作成される。）。その結果、発光層２３の全域で光が発せられる。図５（Ａ）の３番目に示される図は、表示装置が点灯状態にあるか又は消灯状態にあるか（発光状態）を示す。発光層２３表裏の多数の矢印に示されるように、発光層２３のうち、第１及び第２の導電性手段２１，２２に対向する全域から光が発せられる。この光は、主表示部２６（図２）で受光され、主表示部２６による情報表示に利用される。
【００２３】
一方、部分発光の動作モードでは、図５（Ｂ）に示されるように、第１スイッチＳＷ１が開放され、第２スイッチＳＷ２が閉じられ、第２部分６２のみに所定の電圧が印加される（ように制御信号が作成される。）。第１部分６１には、所定の電圧は印加されず、第１部分６１は非駆動状態になっている。この場合、発光層２３のうち、第２の導電性部分２２に対向する領域のみが発光し、第１の導電性部分２１に対向する領域は発光しない。これに対応して、図５（Ｂ）の３番目に示される図では、発光層２３から出る矢線の数が少なくなっている。この光は、副表示部２８で受光され、副表示部２８による情報表示に利用される。
【００２４】
本実施例によれば、発光層２３のうち、第２の導電性部分２２に対向する領域のみを、副表示部２８用に発光させることができる。副表示部２８に光を照射するのに発光層２３全域が点灯される必要はなく、副表示部２８に必要な領域のみが点灯されればよい。これにより、電力利用の効率化を図ることができる。
【実施例２】
【００２５】
実施例１の表示装置では、主表示部２６及び副表示部２８に合わせて発光層２３の全部又は一部を適宜利用することで、消費電力を節約することができる。しかしながら、図２，図３等に示されるレイアウトパターンが使用されるので、全面発光及び部分発光のいずれの動作モードでも、発光層２３の中央部分（副表示部２８又は第２の導電性領域２２に対向する部分）は、常に点灯状態になる。このことは、図５の第２スイッチＳＷ２の開閉状態にも示されており、表示装置が点灯状態の時は常に第２スイッチＳＷ２は閉じていることが分かる。従って、発光層２３の内、中央部分は、左右部分（第１の導電性領域２１に対応する部分）よりも使用頻度が多く、素子の劣化が速くなり、ひいては発光層の寿命も短くなってしまう。素子の劣化の程度が発光層２３の場所によって異なると、全面発光の動作モードで表示斑（中央部分が左右に比べて暗くなる）などの不都合が生じる虞がある。実施例２による表示装置は、このような問題に対処できる。
【００２６】
図７は、実施例２による表示装置の分解斜視図を示す。図３で説明済みの要素と同じ要素には同じ参照番号が付され、重複的な説明は省略される。本実施例における下位電極層７１，７２のレイアウトパターンは、実施例１のものと大きく異なる。下位電極層は、第１の導電性部分７１と、第２の導電性部分７２より成る。図８は表示装置の平面図を示す。図示されているように、第１の導電性部分７１は、発光層２３全域にわたって、左右に伸びる複数の線要素で形成される。これら複数の線要素の描くレイアウトパターンは、後述の制限の下にストライプ状、櫛歯状、一筆書き状のようないかなる形状でもよい。第２の導電性部分７２は、発光層２３の中央部分に対応する領域内に設けられ、且つ第１の導電性電極７１と重複しないように蛇行した（又は入れ子状の）レイアウトパターンを有する。第１の導電性部分７１の左右に伸びる線要素には、第２の導電性部分７２と重複しないように、隙間が設けられている。中央部分では、第１の導電性部分７１と第２の導電性部分７２とが交互に配列されている。導電性部分７１，７２の線幅や間隔（ピッチ）は、用途に応じて適宜設定可能であるが、点灯時に斑の無い一様な発光に見える程度に緻密なレイアウトパターンが作成されることが望ましい。
【００２７】
図９は、表示装置の発光動作を説明するための図である。表示装置の等価回路図は図６と同様になる。図９（Ａ）に示されるように、全面発光の動作モードでは、第１スイッチＳＷ１のみが閉じて、第１部分６１に所定の電圧が印加される。第２部分６２には、所定の電圧は印加されず、第２部分６２は非駆動状態になっている。その結果、第１の導電性部分７１に対向する発光層２３の領域で光が発せられる。第１の導電性部分７１は、ストライプ状のレイアウトパターンを有するので、発光の起こる部分もストライプ状になっている。しかし、線要素の間隔が緻密であれば、線要素同士の間隔に起因する輝度斑（電極パターンに沿って形成される輝度斑）は目視確認できない程度に収まる。図９（Ａ）の３番目に示される図は、表示装置が点灯状態にあるか又は消灯状態にあるか（発光状態）を示す。発光層２３表裏の多数の矢印に示されるように、発光層２３の全域から光が発せられる。この光は、主表示部２６（図２）で受光され、主表示部２６による情報表示に利用される。
【００２８】
一方、部分発光の動作モードでは、図９（Ｂ）に示されるように、第１スイッチＳＷ１が開放され、第２スイッチＳＷ２が閉じられ、第２部分６２のみに所定の電圧が印加される。第１部分６１には、所定の電圧は印加されず、第１部分６１は非駆動状態になっている。この場合、発光層２３のうち、第２の導電性部分７２に対応する領域のみが発光し、第１の導電性部分７１に対応する領域は発光しない。これに対応して、図９（Ｂ）の３番目に示される図では、発光層２３から出る矢線の数が少なくなっている。この光は、副表示部２８で受光され、副表示部２８による情報表示に利用される。第２の導電性部分７２は、蛇行したレイアウトパターンを有するので、発光の起こる部分も厳密には蛇行している。しかし、線要素の間隔が緻密であれば、線要素同士の間隔に起因する輝度斑（電極パターンに沿って形成される輝度斑）は目視確認できない程度に収まる。
【００２９】
本実施例によれば、発光層２３のうち、第２の導電性部分７２に対向する領域のみを、副表示部２８用に発光させることができる。副表示部２８に光を照射するのに発光層２３全域が点灯される必要はなく、副表示部２８に必要な領域のみが点灯されればよい。これにより、電力利用の効率化を図ることができる。図７，８に示されるように、第２の導電性部分７２は、第１の導電性部分７１と重複しないようなレイアウトパターンを有するので、部分発光の動作モードで点灯している発光層２３の部分は、全面発光の動作モードで点灯していた部分とは異なる。全面発光及び部分発光の動作モードで、発光層２３の異なる領域が発光するので、発光層２３を実施例１の場合よりも平均的に使用することができ、素子の劣化をなるべく遅らせることができる。この構成では開口率が損なわれるかもしれないが、主副各々の表示に使用される発光層の領域が異なるため、発光層の負担（劣化）は各発光面内で均一にできる。
【００３０】
なお、ストライプ状の導電性部分や、蛇行した導電性部分を形成すると、その経路に沿った電位差が大きくなり、点灯制御に悪影響を及ぼすことが懸念されるかもしれない。そのような場合には、図１０（Ａ），（Ｂ）に示されるように、導電性部分７１，７２に１より多くの端子を設け（端子数を増やし）、各端子を適切な電位に維持し、不要な電位差を形成しにくくすることが望ましい。これにより、電極の抵抗による電圧降下を小さくし，輝度ムラを抑制できる。
【実施例３】
【００３１】
図１１は、本発明の一実施例による表示装置の分解斜視図である。実施例２で説明済みの要素と同様のものには同様の番号が付され、重複的な説明は省略される。本実施例では、基板２０に、全面発光用の第１の反射層１１１が設けられ、上位電極層２４上に部分発光用の第２の反射層１１２が設けられている。これらの反射層は、例えばアルミ（Ａｌ）や銀（Ａｇ）のような金属より成り、例えばスパッタリング法その他の適切な成膜法で成膜することができる。第１及び第２の反射層１１１，１１２は適切な形状にパターニングされる。パターニングには、フォトリソグラフィ及びエッチングが使用されてもよい。第１の反射層１１１は、第１の導電性部分７１のレイアウトパターンに合わせて形成される。第２の反射層１１２は、第２の導電性部分７２のレイアウトパターンに合わせて形成される。
【００３２】
図１２は、本実施例による表示装置の断面図を示す。発光層２３の左右部分に対応して第１の反射層１１１が設けられ、発光層２３の中央部分に対応して第２の反射層１１２が設けられている。
【００３３】
図１３は、表示装置の発光動作を説明するための図である。表示装置の等価回路図は図６と同様になる。表示装置に対する第１及び第２スイッチＳＷ１，ＳＷ２の開閉動作は、実施例２で説明済みのものと同様であるため、重複的な説明は省略される。本実施例では、表示装置に第１及び第２の反射層１１１，１１２が設けられている。全面発光の動作モードでは、実施例１，２の場合に基板２０側に漏洩していた光が、第１の反射層１１１により反射され（図１２）、発光層２３で発せられる光は総て主表示部での情報表示に寄与できる。また、部分発光の動作モードでは、実施例１，２の場合に上位電極層２４側に漏洩していた光が、第２の反射層１１２により反射され、発光層２３で発せられる光は総て副表示部での情報表示に寄与できる。このため、本実施例によれば、実施例１及び２による効果に加えて、発光層２３による照射効率及び電力の使用効率を更に向上させることができる。
【００３４】
なお、本実施例では、第１の反射層１１１は第１の導電性部分７１と同様なレイアウトパターンを有していた。しかしながら、図１４に示されるように、第１の反射層１１１の左右部分は、その全面で反射がなされるように、ストライプ状や櫛歯状のパターンが形成されなくてもよい（左右部分全面を被覆するパターンでもよい。）。但し、中央部分では、第１及び第２の反射層１１１，１１２が互いに重複しないようなレイアウトパターンが作成される必要がある。
【００３５】
また、本実施例では、第１の反射層１１１と第１の導電性部分７１を別々に構成しているが、両機能を兼ねた光反射性を有する導電性材料（例えば、モリブデン、クロム、金、アルミ等）で第１の導電性部分７１を形成し、第２の導電性部分７２は光透過性を有する導電材料（例えばＩＴＯ等）で形成しても良く、同様の作用、効果を得ることができる。
【実施例４】
【００３６】
図１５は、各実施例による表示装置と、従来方式の表示装置を消費電力の観点から対比する図表を示す。従来方式の表示装置（発光層）として、発光ダイオード（ＬＥＤ）を使用するもの、冷陰極管を使用するもの及び無機ＥＬを使用するものが用意された。本発明の実施例１，２，３に対しては、有機ＥＬより成る発光層が使用された。表示装置は、何れも両面発光型を構成し、主表示部は２インチサイズ（４０．６ｍｍ×３０．５ｍｍ）を有し、副表示部は１インチサイズ（２０．３ｍｍ×１５．２ｍｍ）を有する。そして、各表示部で３０００カンデラ（ｃｄ／ｍ２）の輝度を得るのに必要な電力が測定された。図表中、「共通バックライト」とあるのは、１枚の発光層を表裏の表示部に共用する表示装置が使用される場合を示す。「専用バックライト」とあるのは、表裏の表示部にそれぞれ別個の（専用の）発光層が設けられる表示装置が使用される場合を示す。専用バックライトに関する２列に示されるように、主画面は副画面より多くの電力を消費していることが分かる。共通バックライトに関する２列に示されるように、主画面及び副画面の双方で同量の電力が消費されていることが分かる。
【００３７】
これに対して、実施例１の表示装置によれば、主画面及び副画面に０．７４Ｗ及び０．１９Ｗが消費され、実施例２の表示装置では、０．７４Ｗ及び０．１９Ｗが消費され、実施例３の表示装置では、０．３７Ｗ及び０．０９Ｗが消費される。発光層に有機ＥＬを利用することは、カラー表示等の観点からは好都合であるが、一般に消費電力は大きい。しかしながら、本発明によれば、有機ＥＬを発光層に使用しても、ＬＥＤ、冷陰極管及び無機ＥＬ等を利用する表示装置と同程度の消費電力に抑制できる。特に、反射層を用いた実施例３の表示装置の消費電力は、実施例１，２の表示装置の半分で済み、専用バックライト方式の冷陰極線管に匹敵するほど抑制できる。
【００３８】
図１６は、各実施例による表示装置と、従来方式の表示装置を厚さの観点から対比する図表を示す。ここで測定されている厚みは、発光層と電極層と基板との合計膜厚に相当する。概して、専用バックライト方式は、表裏で２つの表示部を別々に用意するので、共通バックライト方式の２倍の厚みを必要とする。本実施例によれば、共通バックライト方式で無機ＥＬを利用する場合と同程度に薄い表示装置を作成できる。
【００３９】
図１７は、実施例３による表示装置が、従来の共通バックライト方式の表示装置の大きさ及び消費電力の何パーセントで済むかを示す。実施例３による表示装置は、主画面及び副画面に関して、ＬＥＤによる表示装置の７０％及び１７％で済み、厚さは７７％以下に薄くできる。実施例３による表示装置は、主画面及び副画面に関して、冷陰極官による表示装置の９５％及び２４％で済み、厚さは５０％以下に薄くできる。実施例３による表示装置は、主画面及び副画面に関して、無機ＥＬによる表示装置の４５％及び１１％で済み、厚さは同程度に薄くできる。実施例３によれば、特に副画面の電力を従来例の１１〜２４％に大幅に減らすことができる。
【００４０】
以上本発明のいくつかの実施例が説明されてきたが、本発明はそれらの具体的態様に限定されない。上記の各実施例では、説明の便宜上、点灯する領域に応じて下位電極層が複数の領域に分割されていたが、上位電極層を複数の領域に分割してもよいし、上下双方の電極層が複数の領域に分割されてもよい。部分発光の動作モードで、発光層２３の一部（副表示領域に対応する部分）のみに所定の電圧が印加されればよいからである。また、各実施例では、主及び副の２つの表示領域が想定されていたが、必要に応じて２より多くの領域が想定され、上位及び／又は下位電極層が２より多くの領域に分割されてもよい。情報を表示する領域に合わせて、発光層で光の発する領域の広さが調整できればよい。説明の便宜上、各実施例では、長方形の表示領域が設けられるように図示されていたが、本発明は、具体的な表示領域の形状に限定されず、適切ないかなる形状の領域に使用されてもよい。例えば、第１及び第２の導電性部分を同心円状に交互に設けてもよい。表示領域の形状に合わせて電極層がパターニングされていればよい。本発明は、携帯電話機のような小型の移動端末に使用される場合に特に好都合であるが、本発明はそのような用途に限定されず、装置の厚みや消費電力を減らすことが望まれる適切ないかなる表示装置に適用されてもよい。
【００４１】
以下、本発明により教示される手段を例示的に列挙する。
【００４２】
（付記１）
第１の光透過性電極層と、第２の光透過性電極層と、前記第１及び前記第２の光透過性電極層の間に設けられた発光層とを有する照明装置であって、
前記第１及び第２の透明電極層の少なくとも一方は、レイアウトパターンの異なる少なくとも第１及び第２の導電性手段を有する
ことを特徴とする照明装置。
【００４３】
（付記２）
前記第１及び第２の導電性手段の電位を変更し、照明装置内で発光する領域を変更する切替手段を更に備える
ことを特徴とする付記１記載の照明装置。
【００４４】
（付記３）
前記発光層からの光を受光する液晶板を更に備える
ことを特徴とする付記１記載の照明装置。
【００４５】
（付記４）
当該照明装置が、両面発光型である
ことを特徴とする付記１記載の照明装置。
【００４６】
（付記５）
前記第１の導電性手段に所定の電圧を印加することで、一方の表示面に光が照射され、
前記第２の導電性手段に所定の電圧を印加することで、他方の表示面に光が照射される
ことを特徴とする付記４記載の照明装置。
【００４７】
（付記６）
第１及び第２の導電性手段の一方には所定の電圧が選択的に印加されるが、他方には所定の電圧が常に印加される
ことを特徴とする付記１記載の照明装置。
【００４８】
（付記７）
第１又は第２の導電性手段のいずれか一方に所定の電圧が印加される
ことを特徴とする付記１記載の照明装置。
【００４９】
（付記８）
前記発光層が、第１及び第２の導電性手段の形成範囲に渡って同一の発光層より成る
ことを特徴とする付記１記載の照明装置。
【００５０】
（付記９）
前記発光層が、エレクトロルミネセンス層より成る
ことを特徴とする付記１記載の照明装置。
【００５１】
（付記１０）
前記発光層が、有機エレクトロルミネセンス層より成る
ことを特徴とする付記１記載の照明装置。
【００５２】
（付記１１）
第１及び第２の導電性手段のレイアウトパターンは、櫛歯状の形状を有する
ことを特徴とする付記１記載の照明装置。
【００５３】
（付記１２）
第１及び第２の導電性手段のレイアウトパターンは、筋状の複数の線要素をそれぞれ有し、ある領域内で、第１及び第２の導電性手段の線要素が交互に並ぶ
ことを特徴とする付記１記載の照明装置。
【００５４】
（付記１３）
第１の電極層と、第２の電極層と、前記第１及び前記第２の電極層の間に設けられた発光層とを有する照明装置であって、
前記第１及び第２の電極層の少なくとも一方は、レイアウトパターンの異なる少なくとも第１及び第２の導電性手段を有し、
導電性手段の少なくとも１つに対向する位置関係で光反射層を設ける
ことを特徴とする照明装置。
【００５５】
（付記１４）
前記光反射層のレイアウトパターンが、少なくとも１つの導電性手段のレイアウトパターンと同じである
ことを特徴とする付記１３記載の照明装置。
【００５６】
（付記１５）
前記光反射層が、金属より成る
ことを特徴とする付記１記載の照明装置。
【００５７】
（付記１６）
前記導電性手段の少なくとも１つは、光反射性を有する導電材料から成る
ことを特徴とする付記１３記載の照明装置。
【００５８】
（付記１７）
付記１〜１６記載の照明装置を搭載した表示装置。
【図面の簡単な説明】
【００５９】
【図１】従来の表示装置の部分断面図を示す。
【図２】本発明の一実施例による表示装置の分解斜視図を示す。
【図３】表示装置の平面図を示す。
【図４】表示装置の断面図を示す。
【図５】表示装置の発光動作を説明するための図を示す。
【図６】表示装置の等価回路図を示す。
【図７】本発明の一実施例による表示装置の分解斜視図を示す。
【図８】表示装置の平面図を示す。
【図９】表示装置の発光動作を説明するための図を示す。
【図１０】電極層のレイアウトパターンの変形例を示す図である。
【図１１】本発明の一実施例による表示装置の分解斜視図である。
【図１２】本発明の一実施例による表示装置の断面図を示す。
【図１３】表示装置の発光動作を説明するための図を示す。
【図１４】反射層のレイアウトパターンの変形例を示す図である。
【図１５】本発明による実施例及び従来例による表示装置の電力消費を比較する図表を示す。
【図１６】本発明による実施例及び従来例による表示装置の厚みを比較する図表を示す。
【図１７】実施例３及び従来例による表示装置を比較する図表を示す。
【符号の説明】
【００６０】
２０  基板
２１，２２  下位電極層
２３  発光層
２４  上位電極層
２６，２８  ＬＣＤ
６１，６２  発光領域
７１，７２  下位電極層
１１１，１１２  反射層
【図１】
2006260853.tif 000003
【図２】
2006260853.tif 000004
【図３】
2006260853.tif 000005
【図４】
2006260853.tif 000006
【図５】
2006260853.tif 000007
【図６】
2006260853.tif 000008
【図７】
2006260853.tif 000009
【図８】
2006260853.tif 000010
【図９】
2006260853.tif 000011
【図１０】
2006260853.tif 000012
【図１１】
2006260853.tif 000013
【図１２】
2006260853.tif 000014
【図１３】
2006260853.tif 000015
【図１４】
2006260853.tif 000016
【図１５】
2006260853.tif 000017
【図１６】
2006260853.tif 000018
【図１７】
2006260853.tif 000019